(57)【要約】【課題】シリコンＤＡＡを用いたファクシミリにおいて、ＩＳＤＮ回線を介してＧ３回線信号をスピーカからモニタできることを可能とすること。【解決手段】ファクシミリ用モデムＤＳＰにおいて、シリコンＤＡＡによるアナログ電話回線とのアナログインターフェース４０７と、ＩＳＤＮ回線とのデジタルインターフェース４０８とを有し、アナログ電話回線によるファクシミリ通信で使用されるモデム信号とＩＳＤＮ回線４０４で使われる信号とを双方向に変換する機能と、ＩＳＤＮ回線４０４によってＧ３ファクシミリとの通信を行うとき、同時に信号フォーマット変換を行ってシリコンＤＡＡにファクシミリ通信用の信号を送る機能を有し、ＩＳＤＮ４０４経由でＧ３ファクシミリ通信を行う際に、μ／Ａｌａｗ信号をＰＣＭデータに変換してシリコンＤＡＡに渡すことにより、通信の進行をスピーカ４１４から音でモニターする手段を有することを特徴とする。【選択図】      図１
2004229031.tif 000002
【特許請求の範囲】
【請求項１】
シリコンＤＡＡによるアナログ電話回線とのアナログインターフェースと、ＩＳＤＮ回線とのデジタルインターフェースとを有するファクシミリ用モデム装置において、
アナログ電話回線によるファクシミリ通信で使用されるモデム信号と該ＩＳＤＮ回線で使われる信号とを双方向に変換する手段と、
該ＩＳＤＮ回線によってＧ３ファクシミリとの通信を行うとき、同時に信号フォーマット変換を行ってシリコンＤＡＡにファクシミリ通信用の信号を送る手段と、
ＩＳＤＮ回線経由でＧ３ファクシミリ通信を行う際に、通信の進行をスピーカから音でモニターする手段とを有することを特徴とするファクシミリ用モデム装置。
【請求項２】
請求項１に記載のファクシミリ用モデム装置において、
前記ＩＳＤＮ回線によるＧ３ファクシミリ通信中にシリコンＤＡＡに送る信号は送信信号と受信信号を加算したものであり、それぞれゲインをかけて音量を調節する手段を有することを特徴とするファクシミリ用モデム装置。
【請求項３】
請求項１に記載のファクシミリ用モデム装置において、
前記ＩＳＤＮ回線によるＧ３ファクシミリ通信時に信号フォーマット変換を行って、シリコンＤＡＡにＦＡＸ交信信号を送る際に、該ＩＳＤＮ回線のクロックが早くシリコンＤＡＡに送るＦＡＸデータがあまった場合、データの破棄を行う手段と、
該ＩＳＤＮ回線のクロックが遅くてシリコンＤＡＡに送るデータに不足が生じた場合は、前回のデータをそのまま使うことで、クロック差の吸収を行い、ノイズ音をスピーカから発生させない手段とを有することを特徴とするファクシミリ用モデム装置。
【請求項４】
請求項１に記載のファクシミリ用モデム装置において、
前記ファクシミリ用モデム装置に接続されるＮＣＵとして、シリコンＤＡＡとスピーカ回路、およびＩＳＤＮインターフェース部とを有することを特徴とするファクシミリ用モデム装置。
【発明の詳細な説明】
【０００１】
【発明の属する技術分野】
本発明は、ファクシミリ装置において、シリコンＤＡＡ（データアクセスアレンジメント）回路を使用したファクシミリ用モデム装置に関する。
【０００２】
【従来の技術】
従来のファクシミリ装置の中核となる電気回路ブロックは、ＦＣＵ部（ファクシミリコントロールユニット）とＮＣＵ部（ネットワークコントロールユニット）に分かれている。
図３にブロック図を示す。
【０００３】
ＦＣＵ部１０１には機器の制御を行うコントローラ部１０２とＦＡＸ信号変復調を行うモデム部があり、モデム部はデジタル信号処理を行うモデムＤＳＰ（デジタルシグナルプロセッサ）１０３とＡＤ／ＤＡ変換を行うＣＯＤＥＣ（Ｃｏｍｐｒｅｓｓｉｏｎ／Ｄｅｃｏｍｐｒｅｓｓｉｏｎ）やレベルなどを調整するオペアンプが含まれるＡＦＥ（アナログフロントエンド）部１０４とから構成される。
【０００４】
ＮＣＵ部１０５は電話回線とのインターフェースを行うブロックであり、電話回線１０９側（１次側）とＦＣＵ１０１側（２次側）との絶縁を行う絶縁トランス１０６、電話回線の直流閉結規格を実現する直流回路１０７、電話回線のリング信号を検出するリング検出回路１０８などから構成される。
【０００５】
ＦＡＸ通信には広く普及しているアナログ方式のＧ（Ｇｒｏｕｐ）３通信とＩＳＤＮを使った高速Ｇ４デジタル通信がある。Ｇ３はデジタル信号を送信モデムにより一旦アナログ信号に変換して回線に送出し、受信モデムによりアナログ信号をデジタルデータに変換する方式で、Ｇ４はデジタルデータのまま、ＩＳＤＮ回線経由で伝送する方式である。
【０００６】
同じ方式同士の交信は問題ないが、Ｇ３とＧ４は方式が異なるためそのままでは通信できない。
このため、通常Ｇ４機能を持つファクシミリは、従来から市場にでているＧ３方式のＦＡＸ機と交信できるようＧ３通信機能も持っている。
ＩＳＤＮ回線を設置しているＧ４ファクシミリを所有するユーザはＩＳＤＮ回線をファクシミリに接続しており、Ｇ４機能を持つファクシミリがＧ３モードで通信を行う場合には、ＩＳＤＮ回線経由でＧ３ファクシミリと交信する必要がある。
【０００７】
従来からあるＧ４機能とＧ３機能を両方持つファクシミリとＩＳＤＮ回線との接続ブロックを、図４に示す。
モデムＤＳＰ２０５に入出力されるＦＡＸ信号は、ＣＯＤＥＣ０部２０６でＡＤ／ＤＡ変換される。通常のＰＳＴＮ（Ｐｕｂｌｉｃ  Ｓｗｉｔｃｈｅｄ  Ｔｅｌｅｐｈｏｎｅ  Ｎｅｔｗｏｒｋ）回線を通す場合は、ＣＯＤＥＣ０部２０６の入出力はＮＣＵ部に接続され、絶縁トランスを介してＰＳＴＮ回線に接続される。また、ＣＯＤＥＣ０部２０６の入力信号と出力信号は加算アンプ２０９でミキシングされてスピーカ２０７からミキシングされた信号を出力することで、ＰＳＴＮ回線上のＦＡＸ信号をモニターする事ができる。
【０００８】
ＩＳＤＮ回線を通してＦＡＸ通信する場合は、ＳＷ１―２０８でＣＯＤＥＣ０部２０６の入出力をＮＣＵ部からＩＳＤＮ通信ブロックのＣＯＤＥＣ１部２０２の入出力に接続を切り替える。ＩＳＤＮ通信ブロックのＣＯＤＥＣ１部２０２は、ＣＯＤＥＣ０部２０６のＦＡＸ通信信号を、ＩＳＤＮ回線用の８ビット（μ／Ａｌａｗ変換付き）、８ｋＨｚサンプリングのデジタル信号に変換して、ＩＳＤＮインターフェース部２０３を介してＩＳＤＮ回線に接続される。また、ＰＳＴＮ回線接続と同様にスピーカ２０７からＩＳＤＮ回線上のＦＡＸ信号をモニターする事ができる。
【０００９】
近年、データモデムではトランスの代わりに、低コスト／省スペースであるシリコンＤＡＡを用いるケースが増えている。ファクシミリにシリコンＤＡＡを使う場合に問題となるのが、ＩＳＤＮ経由のＧ３ＦＡＸ通信である。これに対する解決として、モデム通信をサンプリングレート変換して８ＫＨＺのμ／Ａｌａｗ変換したデジタルデータとして回線とやりとりする方法が考えられている。これによりＩＳＤＮ回線によるＧ３ＦＡＸ通信が可能となる。
【００１０】
【発明が解決しようとする課題】
電話（ＰＳＴＮ）回線とＦＣＵの絶縁手段として、従来は絶縁トランスを使用したＮＣＵ部が採用されてきた。しかし、データモデムでは、コンデンサーなどの絶縁手段を使用したシリコンＤＡＡを採用する装置が増えてきている。ファクシミリ装置でも、シリコンＤＡＡを使用した製品が販売されている。
【００１１】
図５に、シリコンＤＡＡを使用した場合の（ＦＣＵ部＋ＮＣＵ部）相当のブロック図を示す。
シリコンＤＡＡは、コンデンサなどの絶縁状態を用いている。シリコンＤＡＡは一般的にシステムサイドデバイス３０５とラインサイドデバイス３０７、絶縁コンデンサー３１０から構成される。モデムＤＳＰ部３０４からのＦＡＸ通信信号は、システムサイドデバイス３０５で絶縁コンデンサー３１０を通過する信号に変換されて、１次側のラインサイドデバイス３０７に伝送される。ラインサイドデバイス３０７はモデムＤＳＰ３０４からの信号を内蔵のＣＯＤＥＣ３０７１で回線にアナログ信号として出力する。逆に、回線からの入力信号は、ラインサイドデバイス３０７の内蔵ＣＯＤＥＣ３０７１でＡ／Ｄ変換され、絶縁コンデンサー３１０を通してシステムサイドデバイス３０５に伝送され、モデムＤＳＰ３０４に入力される。
【００１２】
シリコンＤＡＡを使用した図３のシステムで、ＩＳＤＮ回線を通してＦＡＸ通信する場合、図４のＩＳＤＮ通信ブロックと接続する必要がある。ＩＳＤＮ通信ブロックとの入出力はＣＯＤＥＣ１部２０２となるため、アナログ信号でＦＡＸ通信信号を接続する必要がある。しかし、シリコンＤＡＡを使用したシステムでは２次側にアナログのＦＡＸ通信信号を接続する手段がない。モデムＤＳＰ３０４の入出力やシステムサイドデバイス３０５の入出力はデジタル信号であり、アナログ信号が存在しない。
【００１３】
この問題点を解消するため、シリコンＤＡＡを使用したシステムで、ＩＳＤＮ回線を通したＧ３ＦＡＸ通信をする方法が考えられた。しかし、ＩＳＤＮによる通信の場合は回線に流れるデータは８ＫＨｚ、８ｂｉｔのμ／Ａｌａｗデジタル信号なので、そのままでは回線上の信号をスピーカからモニターすることができない。
【００１４】
本発明の目的は、シリコンＤＡＡを用いたファクシミリにおいて、ＩＳＤＮ回線を介してＧ３ＦＡＸ通信を行っているときに回線信号をスピーカからモニタできることを可能とするファクシミリ用モデム装置を提供することである。
【００１５】
【課題を解決するための手段】
上記目的を達成するため、本発明に係る、シリコンＤＡＡによるアナログ電話回線とのアナログインターフェースと、ＩＳＤＮ回線とのデジタルインターフェースとを有するファクシミリ用モデム装置は、アナログ電話回線によるファクシミリ通信で使用されるモデム信号と該ＩＳＤＮ回線で使われる信号とを双方向に変換する手段と、該ＩＳＤＮ回線によってＧ３ファクシミリとの通信を行うとき、同時に信号フォーマット変換を行ってシリコンＤＡＡにファクシミリ通信用の信号を送る手段と、ＩＳＤＮ回線経由でＧ３ファクシミリ通信を行う際に、通信の進行をスピーカから音でモニターする手段とを有することを特徴とする。
【００１６】
また、前記ファクシミリ用モデム装置は、前記ＩＳＤＮ回線によるＧ３ファクシミリ通信中にシリコンＤＡＡに送る信号は送信信号と受信信号を加算したものであり、それぞれゲインをかけて音量を調節する手段を有することを特徴とする。
【００１７】
同じく、前記ＩＳＤＮ回線によるＧ３ファクシミリ通信時に信号フォーマット変換を行って、シリコンＤＡＡにＦＡＸ交信信号を送る際に、該ＩＳＤＮ回線のクロックが早くシリコンＤＡＡに送るＦＡＸデータがあまった場合、データの破棄を行う手段と、該ＩＳＤＮ回線のクロックが遅くてシリコンＤＡＡに送るデータに不足が生じた場合は、前回のデータをそのまま使うことで、クロック差の吸収を行い、ノイズ音をスピーカから発生させない手段とを有することを特徴とする。
【００１８】
また、前記ファクシミリ用モデム装置に接続されるＮＣＵとして、シリコンＤＡＡとスピーカ回路、およびＩＳＤＮインターフェース部とを有することを特徴とする。
【００１９】
なお具体的手段として、シリコンＤＡＡを用いたファクシミリにおいて、ＩＳＤＮ経由のＧ３通信を行っているときにＩＳＤＮ回線上に流れる送信・受信８ＫＨｚ、８ｂｉｔのμ／Ａｌａｗ信号をモデムが処理するためのＰＣＭデータに変換してシリコンＤＡＡに渡すことにより、ＩＳＤＮ回線を介してＧ３ＦＡＸ通信を行っているときに回線信号をスピーカからモニタできることを可能とし、ユーザはこれにより、通常のアナログ回線によるＦＡＸ通信と同様に、ＩＳＤＮ経由のＧ３ＦＡＸ通信のときも通信状況をスピーカからモニタできるようになる。
【００２０】
【発明の実施の形態】
図１に、本発明のファクシミリ用モデム装置の実施例を示す。モデムＤＳＰ部であるモデムＤＳＰチップ４０５は、ＦＡＸ信号の変復調処理をデジタル信号処理で行うＤＳＰ部４０６と、シリコンＤＡＡのシステムサイドデバイス４０９とシリアルでデータを送受信するシステムサイドデバイス用シリアルインターフェース部４０７と、ＩＳＤＮインターフェース部４０３とシリアルでデータを送受信するＩＳＤＮインターフェース用シリアルインターフェース部４０８から構成される。
【００２１】
ＰＳＴＮ回線４１２とのＦＡＸ通信の場合は、ＤＳＰ部４０６からの送受信データはシステムサイドデバイス用シリアルインターフェース部４０７により、モデムＣＯＤＥＣ４１０１用のインターフェースフォーマットに変換される。モデムＣＯＤＥＣ４１０１用のインターフェースフォーマットは、１６ビットリニアのデータ長で、接続されるフェーズや接続されるシンボルレートによりサンプリング周波数が変化する。
【００２２】
システムサイドデバイス４０９は、モデムＣＯＤＥＣ４１０１用のインターフェースフォーマットに対応しており、ＤＳＰ部４０６からのＦＡＸ信号はシステムサイドデバイス４０９で絶縁コンデンサ４１５を通過する信号に変換される。
絶縁コンデンサ４１５を通して伝送されたＤＳＰ部４０６のＦＡＸ信号はラインサイドデバイス４１０で回線にアナログ信号として伝送される。また、システムサイドデバイス４０９はスピーカ４１４出力用のアナログ出力を待ち、スピーカ４１４とそれに若干のアナログ回路を付加すれば通信状況モニタができるように作られている。
【００２３】
ＩＳＤＮ回線とのＦＡＸ通信の場合は、ＤＳＰ部４０６からの送受信データはＩＳＤＮインターフェース用シリアルインターフェース部４０８により、ＩＳＤＮインターフェース用のインターフェースフォーマットに変換される。このＩＳＤＮインターフェース用のインターフェースフォーマットは、ＩＳＤＮ通信ブロックのＣＯＤＥＣ１部４０２の入出力フォーマットである、８ビットμ／Ａｌａｗデータフォーマット、８ｋＨｚサンプリング周波数のインターフェースフォーマットである。
【００２４】
ＤＳＰ部４０６の送受信データは、１６ビットリニアのデータ長であり、サンプリング周波数は接続されるフェーズや接続されるシンボルレートによりサンプリング周波数が変化する。サンプリング周波数は９６００Ｈｚや７２００Ｈｚなど複数の値をとる。そのため、ＤＳＰ部４０６からの送受信データはサンプリング変換機能で９６００Ｈｚや７２００Ｈｚなどのもともとのサンプリング周波数から、８ｋＨｚにサンプリング変換される。
【００２５】
また、μ／Ａｌａｗ変換機能により１６ビットリニアのデータから８ビットμ／Ａｌａｗデータフォーマットに変換される。変換されたデータはＩＳＤＮインターフェース用シリアルインターフェース部４０８によりＩＳＤＮ通信ブロック４０１のＩＳＤＮインターフェース部４０３に伝送され、ＩＳＤＮ規格に変換され、ＩＳＤＮ回線に伝送される。
【００２６】
ＩＳＤＮ回線によるＧ３通信を行う場合は、本来アナログ信号になって回線に出ていくはずの信号は８ビットμ／Ａｌａｗデータフォーマットとなっており、そのままユーザが通信状況を音として確認することができない。
【００２７】
そこで本発明ではＩＳＤＮ回線によるＧ３通信を行っている際に、特に何も操作していないシリコンＤＡＡを使って、モデムＤＳＰがモデム信号処理を行うための信号に変換したあとのリニアデータをシリコンＤＡＡに与えることによって、シリコンＤＡＡのスピーカ出力によって通信音をモニターする。
【００２８】
モデムＤＳＰ内部では、送信信号はμ／Ａｌａｗ変換していないデジタルリニアデータである。また、受信信号はμ／Ａｌａｗデータであるが、これをリニアデータに変換してモデムＤＳＰは復調処理に用いる。送信・受信リニアデータを加算してシリコンＤＡＡに渡せば、シリコンＤＡＡのスピーカ出力にスピーカを接続して音を聞くことができる。なお、このシリコンＤＡＡとスピーカ回路が、本発明のファクシミリ用モデム装置のＮＣＵ部を構成する。
【００２９】
図２は、本発明に係るスピーカ回路図である。
スピーカ回路は、部品の種類、回路構成により音量調整が必要となることがある。このために、シリコンＤＡＡに渡す前にＤＳＰ側によりゲインを乗算できる構成をとることが可能である。
図２のように送信信号、受信信号それぞれにゲインを乗算し、それを加算した結果をシステムサイドデバイスに渡せばよい。ゲインはコントローラよりＤＳＰ部４０６に設定できるようにしておけば、システム設計者がスピーカ回路に最適なゲインを設定できる。
【００３０】
スピーカからＩＳＤＮ経由のＧ３通信をモニタするときに留意すべき事柄にクロックずれの問題がある。ＩＳＤＮ経由のＧ３通信を行っているときにはシリコンＤＡＡのサンプリング周波数は、通常のモデムの動作のときと同様に７２００Ｈｚや９６００Ｈｚというようなモデム処理に都合のよい値とする。ＩＳＤＮのクロックは８ＫＨｚであるのでこれをサンプリング変換してモデムクロックに同期したものを作る。
【００３１】
しかしながら、シリコンＤＡＡを動かすクロックとサンプリング変換して生成されるモデム動作用のデータには、微妙なずれが生じる。これはＩＳＤＮは回線から８ＫＨｚのタイミングで供給され、シリコンＤＡＡは、それ自身に接続されたマスタークロックを分周してサンプリングクロックを発生しており、もともとのクロックが同じものでないことによる。
【００３２】
シリコンＤＡＡのクロックには、５０ｐｐｍ程度の高精度な発信周波精度を持つものを使うことが多く、ＩＳＤＮのクロックとは相対的にずれたとしても１００ｐｐｍ程度と考えられる。例えば、モデムが９６００Ｈｚのサンプリング周波数の場合、９６００×１００／１００００００＝０．９６で１秒間０．９６サンプル程度の過不足となる。モデムの通信データが１サンプル抜けるのは、通信において位相、サンプリング同期がはずれデータエラーを伴う致命的な障害となるが、通信状況をモニタする場合は、人間の耳で聞いて違和感がなければよい。
【００３３】
そこで、サンプルが不足した場合は前回のデータをそのまま使い、サンプルがあまった場合は、１つサンプルを捨てることとする。そうすることで、破裂音が聞こえることなく、通信状況をスピーカからモニターすることができる。
【００３４】
【発明の効果】
以上説明したように、本発明に係るモデムＤＳＰによれば、シリコンＤＡＡを搭載したファクシミリ装置のシステムで、ＩＳＤＮ回線を通したＧ３ＦＡＸ通信中にも、通信状況をスピーカからモニタすることが可能となり、同時にその場合に、スピーカ・アンプのゲインに合わせて音量を適切に調整可能となる。
また、本発明に係るモデム装置により、シリコンＤＡＡを搭載したファクシミリ装置のシステムで、ＩＳＤＮ回線を通したＧ３ＦＡＸ通信中にも通信状況をスピーカからモニタする場合に、破裂音の発生を防止することができる。
【図面の簡単な説明】
【図１】本発明のファクシミリ用モデム装置の実施例図である。
【図２】本発明に係るスピーカ回路図である。
【図３】従来のファクシミリ装置の中核となる電気回路ブロック図である。
【図４】従来からあるＧ４機能とＧ３機能を両方持つファクシミリとＩＳＤＮ回線との接続ブロック図である。
【図５】シリコンＤＡＡを使用した場合の（ＦＣＵ部＋ＮＣＵ部）相当のブロック図である。
【符号の説明】
１０１  ＦＣＵ部（２次側）
１０２  コントローラ部
１０３  モデムＤＳＰ部
１０４  ＡＦＥ部
１０５  ＮＣＵ部（１次側）
１０６  トランス
１０７  直流回路
１０８  リング検出回路
１０９  電話回線（ＰＳＴＮ回線）
２０１  ＩＳＤＮ通信ブロック
２０２  ＣＯＤＥＣ１部
２０３  ＩＳＤＮインターフェース部
２０４  ＩＳＤＮ回線
２０５  モデムＤＳＰ部
２０６  ＣＯＤＥＣ０部
２０７  スピーカ
２０８  ＳＷ１
２０９  加算アンプ
３０１  ＦＣＵ部＋ＮＣＵ部
３０２  ＦＣＵ部＋ＮＣＵ部  ２次側
３０３  コントローラ部
３０４  モデムＤＳＰ部
３０５  システムサイドデバイス
３０６  ＦＣＵ部＋ＮＣＵ部  １次側
３０７  ラインサイドデバイス
３０７１  ＣＯＤＥＣ
３０８  周辺回路
３０９  電話回線（ＰＳＴＮ回線）
３１０  絶縁コンデンサー
４０１  ＩＳＤＮ通信ブロック
４０２  ＣＯＤＥＣ１部
４０３  ＩＳＤＮインターフェース部
４０４  ＩＳＤＮ回線
４０５  モデムＤＳＰチップ
４０６  ＤＳＰ部
４０６１  サンプリング変換機能
４０６２  μ／Ａｌａｗ変換機能
４０７  システムサイドデバイス用シルアルインターフェース部
４０８  ＩＳＤＮインターフェース用シリアルインターフェース部
４０９  システムサイドデバイス
４１０  ラインサイドデバイス
４１０１  ＣＯＤＥＣ
４１１  周辺回路
４１２  電話回線（ＰＳＴＮ回線）
４１３  スピーカ回路
４１４  スピーカ
４１５  絶縁コンデンサー
５０１  送信信号
５０２  受信信号
【図１】
2004229031.tif 000003
【図２】
2004229031.tif 000004
【図３】
2004229031.tif 000005
【図４】
2004229031.tif 000006
【図５】
2004229031.tif 000007